(57)【要約】【課題】緊急時の扉の開放を容易に行うことが可能な錠装置を提供する。【解決手段】錠装置１１において、内部空間３１を有して扉面に固定され操作部材の基軸３９を回転自在に支持するエスカチオン２７と、内部空間３１に扉面と平行な揺動軸８３で揺動自在に支持され一体に固定されたボタン部９９がエスカチオン２７のボタン開口穴９７から外方へ突出され、且つ、ボタン部９９と同方向に内部空間３１の内方で突出する係合部７５が設けられた規制体２９と、内部空間３１を貫通する基軸３９に表裏面が直交する方向で固定され、且つ、係合部７５と係合して基軸３９の回転を規制する被係合部６９が形成されるロック板５５と、を設けた。【選択図】  図７
2012172421.tif 000002
【特許請求の範囲】
【請求項１】
内部空間を有して扉面に固定され操作部材の基軸を回転自在に支持するエスカチオンと、
前記内部空間に前記扉面と平行な揺動軸で揺動自在に支持され一体に固定されたボタン部が前記エスカチオンのボタン開口穴から外方に表出され、且つ、前記ボタン部と同方向に前記内部空間の内方で突出する係合部が設けられた規制体と、
前記内部空間を貫通する前記基軸に表裏面が直交する方向で固定され、且つ、前記係合部と係合して前記基軸の回転を規制する被係合部が形成されるロック板と、を具備することを特徴とする錠装置。
【請求項２】
前記基軸には前記操作部材の操作部から大径部、小径部、ねじ部、および角軸部が順次に形成され、
前記小径部に相対回転不能に外挿された前記ロック板が、前記ねじ部に螺合されるナットによって前記大径部の間に固定されることを特徴とする請求項１記載の錠装置。
【請求項３】
前記エスカチオンと前記規制体との間には、前記ボタン部を表出状態とする揺動方向に前記規制体を付勢する付勢部材が設けられることを特徴とする請求項１又は２記載の錠装置。
【請求項４】
前記エスカチオンには、前記内部空間に挿入される一対の平行な裏蓋側板を有する裏蓋が取り付けられ、
前記規制体の両側の規制体側板には、前記一対の裏蓋側板の内側対向面に摺接するガイドピースが設けられることを特徴とする請求項１又は２又は３記載の錠装置。
【発明の詳細な説明】
【技術分野】
【０００１】
本発明は、扉の開閉操作のために設けられた操作部材の操作を規制する錠装置に関する。
【背景技術】
【０００２】
扉に設けられる開閉操作のための操作部材であるレバーハンドルは、扉に内蔵される、或いは扉面に露出状態で設けられる錠装置に連動連結される。レバーハンドルは錠装置の機構部に連結される軸部と、この軸部に直交方向に延設される把手部を備え、この把手部を掴み持ち揺動操作することで、錠装置内の機構部分を連動させてラッチボルトの進退が行われる。この錠装置は、扉の屋外側からは例えば合鍵による施解錠操作とされ、屋内側からはサムターンによる操作でデッドボルトの進退が行われるものが一般的であるが、屋内側からの操作、特に解錠し開扉する操作においては、サムターン等を使用せずレバーハンドルのみを揺動操作することで解錠が行われる機構（所謂アンチパニック機構）を備えたものがある。このレバーハンドルによる解錠機構は、非常時において即座に扉の開放を行いたい場合に有効なもので、サムターン等の操作を不要とし、レバーハンドルのみの操作で緊急性のある解錠，開扉が可能となっている。また、サムターン等を使用しないことから、サムターンが配設されない構造のものもある。
【０００３】
このようなレバーハンドルの非常用解錠機構は、施錠状態であってもレバーハンドルを強制的に揺動操作することで解錠できてしまうことから、小さい子供が、親が気付かない間に解錠し戸外へ出てしまい、一人で危険な場所に立ち入ってしまう恐れがある。そのような危険性を防止するため、例えば、小さい子供が手の届かない高い位置に錠装置を設けたり、レバーハンドルの揺動を規制するようにしたりする。レバーハンドルの揺動を規制する構造として、ハンドル取付座からドアハンドルの軸部分に係合し、ドアハンドルの回動を阻止する押さえ板をヒンジを介して設け、この押さえ板のハンドル当片にてドアハンドルの回動を阻止する構造（下記特許文献１）や、着脱自在な略Ｕ字状のプレートにて操作レバーの周囲を覆うとともに、箱状のレバー収納部を取り付け、操作レバー全体を覆い、揺動を規制してしまうもの（下記特許文献２）などがある。
【先行技術文献】
【特許文献】
【０００４】
【特許文献１】特開平６−３３６８６５号公報
【特許文献２】実開平３−２８２７８号公報
【発明の概要】
【発明が解決しようとする課題】
【０００５】
しかしながら、上述した従来のレバーハンドルの揺動規制の構造では、いずれも着脱自在な構造とされ、必要時にレバーハンドルに対して取り付け、レバーハンドルの規制を継続して行うものであり、すなわち、規制の必要ない使用しない場合には、レバーハンドルから取り外した構造体を何処かに保管しなくてはならない煩雑さがある。また、上記各特許文献では、レバーハンドルの規制を行いそれを維持するために合鍵を必須とするものであって、二重ロックという意味では安全性が向上するものの、鍵の保管を必要とし、この点においても煩雑さのあるものである。特に、上記したような非常用の扉開放時において、上記従来の構造では、その煩雑さのために開放不可能となるおそれがあり、緊急時の扉の開放を容易に行うことを可能としつつ、安全性を十分に備えることの可能な機能を備えたレバーハンドルの揺動規制構造が望まれていた。
【０００６】
本発明は上記状況に鑑みてなされたもので、その目的は、緊急時の扉の開放を容易に行うことが可能となる錠装置を提供することにある。
【課題を解決するための手段】
【０００７】
次に、上記の課題を解決するための手段を、実施の形態に対応する図面を参照して説明する。
本発明の請求項１記載の錠装置１１は、内部空間３１を有して扉面３３に固定され操作部材１５の基軸３９を回転自在に支持するエスカチオン２７と、
前記内部空間３１に前記扉面３３と平行な揺動軸８３で揺動自在に支持され一体に固定されたボタン部９９が前記エスカチオン２７のボタン開口穴９７から外方に表出され、且つ、前記ボタン部９９と同方向に前記内部空間３１の内方で突出する係合部７５が設けられた規制体２９と、
前記内部空間３１を貫通する前記基軸３９に表裏面が直交する方向で固定され、且つ、前記係合部７５と係合して前記基軸３９の回転を規制する被係合部６９が形成されるロック板５５と、を具備することを特徴とする。
【０００８】
この錠装置１１では、ボタン部９９が外方に表出状態で、規制体２９の係合部７５がロック板５５の被係合部６９に係合し、基軸３９の回転が規制されて、操作部材１５の操作ができなくなる。ボタン部９９が扉面に向けて押されると、規制体２９が揺動軸８３を中心に揺動され、規制体２９の係合部７５がロック板５５の被係合部６９から離脱して基軸３９の回転規制が解除され、操作部材１５の操作が可能となる。
【０００９】
請求項２記載の錠装置１１は、前記基軸３９には前記操作部材１５の操作部２１から大径部４３、小径部４３ａ、ねじ部４５、および角軸部４７が順次に形成され、
前記小径部４３ａに相対回転不能に外挿された前記ロック板５５が、前記ねじ部４５に螺合されるナット６１によって前記大径部４３の間に固定されることを特徴とする。
【００１０】
この錠装置１１では、基軸３９が大径部４３でエスカチオン２７に支持され、大径部４３と小径部４３ａとの間の段部７１が内部空間３１に配置される。小径部４３ａにロック板５５が外挿され、ねじ部４５にナット６１が螺合されると、ロック板５５が段部７１とナット６１とによって挟持固定される。これにより、ロック板５５がエスカチオン２７の内壁面７３から浮上した状態で基軸３９に固定され、被係合部６９への係合部７５の係合が確実となる。
【００１１】
請求項３記載の錠装置１１は、前記エスカチオン２７と前記規制体２９との間には、前記ボタン部９９を表出状態とする揺動方向に前記規制体２９を付勢する付勢部材１０１が設けられることを特徴とする。
【００１２】
この錠装置１１では、ボタン部９９が押されていない通常時には、付勢部材１０１によって規制体２９がボタン部９９を表出、或いは突出せさる方向に揺動され、同時に、規制体２９の係合部７５がロック板５５の被係合部６９に係合する。つまり、ボタン部９９が押下可能、基軸３９が回転不能な状態に保持される。
【００１３】
請求項４記載の錠装置１１は、前記エスカチオン２７には、前記内部空間３１に挿入される一対の平行な裏蓋側板１０３を有する裏蓋７７が取り付けられ、
前記規制体２９の両側の規制体側板８５には、前記一対の裏蓋側板１０３の内側対向面１０５に摺接するガイドピース１０７が設けられることを特徴とする。
【００１４】
この錠装置１１では、揺動軸８３を中心に揺動する規制体２９の規制体側板８５にガイドピース１０７が設けられ、このガイドピース１０７が、一対の裏蓋側板１０３の内側対向面１０５に摺接することで、規制体２９が揺動軸８３に沿う方向へがたつくことがなくなる。
【発明の効果】
【００１５】
本発明に係る請求項１記載の錠装置によれば、扉面に設けられたエスカチオンに表出しているボタン部を有する規制体の係合部が、ロック板の被係合部に係合していることで、操作部材の操作を規制することが可能となる。これにより、この操作部材による解錠操作や開扉操作を無効なものとすることができる。また、ボタン部を押下することで規制体が揺動となり係合部と被係合部との係合が解除されることで、操作部材は操作可能な状態となり、解錠操作及び開扉操作を可能とする。すなわち、エスカチオンにはボタン部のみが表出し各構成部がエスカチオン内に配置される構成となり、部材を取り外す或いは合鍵を使う操作を必要とするような煩雑な操作や部材管理が一切不要となり、ボタン部を押すことで、緊急時の扉の開放を容易に行うことができる。
【００１６】
請求項２記載の錠装置によれば、エスカチオンの内部空間に位置する操作部材の基軸の途中に、同一回転中心のロック板を、規制体が係合するように確実に固定でき、エスカチオンに対して操作部材の軸受構造として組み付けられるナットを利用して、係合部と被係合部とを構成することが可能となる。
【００１７】
請求項３記載の錠装置によれば、通常時にボタン部をエスカチオンに表出状態、或いは突出状態とさせ、且つ、操作部材を回転不能に保持できる。また、このことから、操作部材の操作を行うには、付勢力に抗してボタン部を押し下げなければならないことから、不注意で解錠や開扉させてしまうことを防止できる。
【００１８】
請求項４記載の錠装置によれば、規制体の揺動ががたつくことを防止でき、ボタン部の作用をスムースにできる。また、規制体の揺動をガイドすることで、係合部と被係合部との係合状態を確実なものとすることができる。
【図面の簡単な説明】
【００１９】
【図１】本発明に係る錠装置の外観斜視図である。
【図２】図１に示した錠装置の縦断面図である。
【図３】基軸の分解斜視図である。
【図４】図１に示した錠装置を裏側から見た背面図である。
【図５】規制体を外した分解斜視図である。
【図６】裏蓋を外した分解斜視図である。
【図７】（ａ）はボタン部が突出された通常時の縦断面図、（ｂ）はボタン部が押された回転規制解除時の縦断面図である。
【発明を実施するための形態】
【００２０】
以下、本発明の実施の形態を図面を参照して説明する。
図１は本発明に係る錠装置の外観斜視図、図２は図１に示した錠装置の縦断面図である。
本実施の形態に係る錠装置１１は、非常時などに施錠状態を解除可能な所謂アンチパニック機構（図示せず）を内蔵する錠装置１１に好適に用いることができる。アンチパニック機構は、サムターン１３による施解錠を可能とする一方で、非常時においては強く操作部材１５を回すと、施錠状態が解除され、緊急時の即座な扉１７の開放が可能となるものである。勿論、錠装置１１は、このアンチパニック機構を備えず、簡易的な施錠機能を備える錠装置１１としても適用可能なものである。
【００２１】
本実施の形態に係る錠装置１１は、操作部材１５が、レバーハンドル１９となる。すなわち、操作部２１がレバー把手２３となる。レバーハンドル１９は、レバー把手２３が図１に示す状態から時計回りに略４５°回転されることで操作される。この他、操作部材１５は、操作部２１が握り玉となったノブハンドルであってもよい。錠装置１１は、レバーハンドル１９の回転操作によって、扉木口から不図示のラッチボルト等を進退作動可能としている。
【００２２】
錠装置１１は、エスカチオン２７と、レバーハンドル１９と、規制体２９と、に大別構成される。エスカチオン２７は、内部空間３１を有する例えば四角形の扁平箱状に形成されて、扉面３３に取り付けられる。エスカチオン２７は、強度を有する所定厚の金属製のフレーム３５と、このフレーム３５の外側を覆う化粧プレート３７とを有する。エスカチオン２７には、レバーハンドル１９の基軸３９を回転自在に支持する軸穴４１が設けられている。
【００２３】
図３は基軸３９の分解斜視図である。
レバーハンドル１９の基軸３９には、レバー把手２３から大径部４３（図２参照）、小径部４３ａ、ねじ部４５、および角軸部４７が順次に形成されている。レバーハンドル１９は、例えばレバー把手２３、大径部４３、小径部４３ａ、ねじ部４５が鋳造製であり、ねじ部４５の端面に角軸部４７が挿入固定される。この角軸部４７が不図示の錠機構に接続される。大径部４３には、例えば樹脂材料からなる円筒状のカラー２５が外挿され、軸穴４１での回転をスムースにしている。小径部４３ａには軸線方向に切欠部４９が形成される。小径部４３ａには、支持リング５１、ワッシャー５３、ロック板５５、保護シート５７、回り止めワッシャー５９が順次に外挿され、最後にナット６１がねじ部４５に螺合される。ナット６１は、外周に形成された凹所部６３に、回り止めワッシャー５９の爪６５が係止する。
【００２４】
ロック板５５の内方には突起６７が形成され、突起６７は小径部４３ａの切欠部４９に係合する。これにより、ロック板５５は、基軸３９に対して回転しないようになっている。また、このロック板５５には、後述の規制体２９と係合するための被係合部６９が直径方向の両側に形成されている。この被係合部６９は、保護シート５７にも同様に形成されている。従って、小径部４３ａに相対回転不能に外挿されたロック板５５は、ねじ部４５に螺合されるナット６１によって大径部４３の間に固定される（図２参照）。
【００２５】
レバーハンドル１９は、基軸３９が大径部４３でエスカチオン２７に支持され、大径部４３と小径部４３ａとの間の段部７１が内部空間３１に配置される。小径部４３ａにロック板５５が外挿され、ねじ部４５にナット６１が螺合されると、ロック板５５が段部７１とナット６１とによって挟持固定される。これにより、ロック板５５がエスカチオン２７の内壁面７３から浮上した状態で基軸３９に固定され、被係合部６９への後述する係合部７５（図５参照）の係合が確実となっている。このように、レバーハンドル１９では、基軸３９の途中に、同一回転中心のロック板５５を、規制体２９の係合部７５が係合するように、確実に固定できるようになっている。
【００２６】
図４は図１に示した錠装置１１を裏側から見た背面図である。
エスカチオン２７の裏側から内部空間３１を見ると、基軸３９の上方に、規制体２９が揺動自在に収容されている。この規制体２９の略下半部は、裏蓋７７によって覆われている。規制体２９は、ロック板５５の上下方向略半分の位置が下端となる。規制体２９の下縁には基軸３９との干渉を回避する弧状切欠部７９が形成される。規制体２９は、フレーム３５に固定される軸受板８１に、両端が支持される揺動軸８３を介して、規制体側板８５（図５参照）の上端が揺動自在に支持される。すなわち、規制体２９は、内部空間３１に扉面３３と平行な揺動軸８３で扉面３３に対して接離方向で揺動自在に支持される。
【００２７】
図５は規制体２９を外した分解斜視図である。
フレーム３５には固定柱用穴８７が形成され、固定柱用穴８７は図２に示した固定ビス８９が螺合して固定柱９１を固定する。規制体２９には弧状切欠部７９の上方に固定柱貫通穴９３が形成される。固定柱貫通穴９３を貫通した固定柱９１には図２に示す加締めピン９５等によって裏蓋７７が固定されている。規制体２９は、フレーム３５と裏蓋７７との間で揺動自在となる。
【００２８】
エスカチオン２７の軸穴４１の上方には略四角形のボタン開口穴９７が形成される。規制体２９には略四角形のボタン部９９がボタン固定ねじ９９ａによって一体に固定され、ボタン部９９はボタン開口穴９７から表出、本実施の形態では外方へ突出される。ボタン部９９の表面には「ＰＵＳＨ」などの文字を標示形成して、視覚的に操作方法を示すこととしてもよい。突出したボタン部９９が、押されると、規制体２９が揺動軸８３を中心に揺動されるようになっている。規制体側板８５の下端には、ボタン部９９と同方向に内部空間３１の内方で突出する係合部７５が設けられている。この係合部７５は、規制体２９がフレーム３５に接近する方向に移動されると、ロック板５５の被係合部６９に係合する。すなわち、規制体２９は、係合部７５を被係合部６９に係合することで、ロック板５５を介してレバーハンドル１９の回転を規制するようになっている。
【００２９】
エスカチオン２７と規制体２９との間には、ボタン部９９を外方へ突出させる揺動方向に規制体２９を付勢する付勢部材１０１が設けられている。この付勢部材１０１としては、例えばつる巻きバネを用いることができる。ボタン部９９が押されていない通常時には、付勢部材１０１によって規制体２９がボタン部９９を突出せさる方向に揺動され、同時に、規制体２９の係合部７５がロック板５５の被係合部６９に係合する。つまり、ボタン部９９が押下可能、基軸３９が回転不能な状態に保持される。このように、錠装置１１では、通常時にボタン部９９が外方に突出され、且つ、操作部材１５が回転不能に施錠保持されるようになされている。
【００３０】
図６は裏蓋７７を外した分解斜視図である。
エスカチオン２７の背面に取り付けられる裏蓋７７には、内部空間３１に挿入される一対の平行な裏蓋側板１０３が形成されている。一方、規制体２９の両側の規制体側板８５には、一対の裏蓋側板１０３の内側対向面１０５に摺接するガイドピース１０７がガイド固定ビス１０９によって固定されている。揺動軸８３を中心に揺動する規制体２９の規制体側板８５にガイドピース１０７が設けられ、このガイドピース１０７が、一対の裏蓋側板１０３の内側対向面１０５に摺接することで、規制体２９が揺動軸８３に沿う方向へがたつくことがなくなる。これにより、ボタン部９９の作用をスムースにしている。
【００３１】
次に、上記構成を有する錠装置１１の作用を説明する。
図７（ａ）はボタン部９９が突出された通常時の縦断面図、（ｂ）はボタン部９９が押された回転規制解除時の縦断面である。
この錠装置１１では、図７（ａ）に示す通常時、付勢部材１０１によって規制体２９が付勢されることで、ボタン部９９がエスカチオン２７の外方へ突出されている。ボタン部９９が外方へ突出した状態では、規制体２９の係合部７５がロック板５５の被係合部６９に係合され、基軸３９の回転が規制される。つまり、レバーハンドル１９が操作できなくなっている。
【００３２】
一方、図７（ｂ）に示すように、ボタン部９９が押されると、規制体２９が揺動軸８３を中心に揺動され、規制体２９の係合部７５がロック板５５の被係合部６９から離脱して基軸３９の回転規制が解除され、レバーハンドル１９の操作が可能となる。つまり、錠装置１１が、簡易的な施解錠装置として機能することとなる。
【００３３】
また、上記したアンチパニック機構が備えられている場合には、施解錠機構が施錠状態であっても、ボタン部９９を押し、レバーハンドル１９を強く操作すれば、サムターン１３による解錠操作を行うことなく、解錠が可能となる。換言すれば、アンチパニック機構を備えていても、ボタン部９９を押さなければ、アンチパニック機構により強制解錠が機能しないことになる。これにより、小さい子供が、レバーハンドル１９を強く操作することのみによる強制解錠を防止できる。また、ボタン部９９を押すのみでアンチパニック機構が機能するので、緊急時における即座の扉１７の開放も妨げることがない。
【００３４】
このように、錠装置１１では、レバーハンドル１９の揺動操作を規制することが可能となり、簡素な構成でアンチパニック機構の安全性が高められる。そして、従来品のように、部材を取り外す、或いは、合鍵を使う操作を必要とするような煩雑な操作や部材管理が不要となり、操作性が向上する。また、レバーハンドル１９の周囲での意匠性を大きく崩すことなくコンパクトに配置できる。また、エスカチオン２７を交換し、ボタン部９９を備える構造とするとともに、基軸３９に被係合部６９を組み付けることで、既存のレバーハンドル１９を流用しながら後付けすることも可能となる。
【００３５】
従って、本実施の形態に係る錠装置１１によれば、エスカチオン２７に表出するボタン部９９を押すことで、緊急時の扉１７の開放を容易にできる。
【００３６】
なお、上述した実施の形態では、ボタン部９９をエスカチオン２７の表面から外方に突出させた構成としたが、ボタン部９９の表面とエスカチオン２７の表面とを面一とした構成としてもよく、突出しないことにより、エスカチオン２７の側方からの引っ掛かりなどがなくなり、誤操作などを防ぐことが可能となる。この表面を面一とした構成とした場合では、ボタン部９９を、エスカチオン２７の表面よりも押し込むような操作となる。また、このボタン部９９の形状は、上述したような略四角形の他、円形やその他のエスカチオン２７などの意匠に合せた形状としても良いものである。
また、係合部７５と被係合部６９との組み合わせは、上述したような突片形状の係合部７５と凹状切欠形状の被係合部６９に限定されるものではなく、互いに係合しあい操作部材１５の回転を規制する構造であれば良く、またその数についても上記した２か所に限らず、１〜複数か所として構成することとしてもよい。
【符号の説明】
【００３７】
１１…錠装置
１５…操作部材
２１…操作部
２７…エスカチオン
２９…規制体
３１…内部空間
３３…扉面
３９…基軸
４３…大径部
４３ａ…小径部
４５…ねじ部
４７…角軸部
５５…ロック板
６１…ナット
６９…被係合部
７５…係合部
７７…裏蓋
８３…揺動軸
８５…規制体側板
９７…ボタン開口穴
９９…ボタン部
１０１…付勢部材
１０３…裏蓋側板
１０５…内側対向面
１０７…ガイドピース
【図１】
2012172421.tif 000003
【図２】
2012172421.tif 000004
【図３】
2012172421.tif 000005
【図４】
2012172421.tif 000006
【図５】
2012172421.tif 000007
【図６】
2012172421.tif 000008
【図７】
2012172421.tif 000009